(57)【要約】      （修正有）【課題】家具の好むところにボンド磁性シートを付着させて、家具全体の様式、模様を自由に選択できるようになっている磁性シート付着化粧板を使用した家具を提供する。【解決手段】家具の表面３、側面、内面に、０．５〜１ｍｍの厚さの０．５〜２ｍｍの厚さの残留磁束密度（Ｂｒ）＝２〜１０ｋＧ，保磁力（Ｈｃ）＝２〜２０ｋＯｅ、を持つボンド磁性シート２を付着可能な化粧板を貼りつけている磁性シート付着化粧板を使用した家具である。【選択図】図１
0003203530.tif 000002
【実用新案登録請求の範囲】
【請求項１】
家具の表面、側面、内面に、０．５〜２ｍｍの厚さの  残留磁束密度（Ｂｒ）＝２〜１０ｋＧ，  保磁力（Ｈｃ）＝２〜２０ｋＯｅ、最大エネルギ積（ＢＨｍａｘ）＝１〜２０ＭＧＯｅの磁力を持つボンド磁性シートを付着可能になっている表装材とスチール箔を含む化粧板を貼りつけていることを特徴とする磁性シート付着化粧板を使用した家具。
【請求項２】
ボンド磁性シートを付着できる装飾性表装材である化粧板において、表装材の表面には、０・０５〜１ｍｍの生地色から濃厚色、又は自然素材の木質の質感をもつ模様を施した紙体、又は突板、又は布体、又は樹脂フイルムを貼って、磁気吸着力を持つ表面体内に２５〜２００μｍの厚さのスチール箔を含んでいる化粧板を使用していることを特徴とする請求項１に記載の磁性シート付着化粧板を使用した家具。
【請求項３】
家具として、引出、開戸、引戸を持つもので、流し台、調理台等の厨房設備、洗面化粧台等の衛生設備、あるいは食器戸棚、ワゴン、クロゼット等の家具が備える扉や引出しの前板であって、チェスト、箪笥、食器棚、洋服箪笥、テレビボード、本棚であって、表面と側面と合わせた面積で３０〜１００％にボンド磁性シートを付着できる装飾性表装材を張り付けていることを特徴とする請求項１、又は請求項２に記載の磁性シート付着化粧板を使用した家具。
【請求項４】
家具に貼り付けているボンド磁性シートは、縦５０〜５００ｍｍ、横５０〜５００ｍｍの形状のプラスチック製、又はゴム製のシートであって、その平面シート形状が略矩形、略三角形、円形、又は四角形以上の略多角形のうちの少なくとも何れか一つであって、ボンド磁性シートは、人物、自然、風景、アニメから選ばれた図柄、写真、及び計画表、或はメモ書表などであって、色彩、模様、形状で自由に選択を行うことによって、それらの形状と併せて、色彩・模様で自由に選択を付着させるボンド磁性シートで、しかも家具の表面を平面状態に近く、所望の形状と模様で単純な色彩を持った家具表面に付着させて使用できるようになっていることを特徴とする請求項１〜請求項３のいずれかに記載の磁性シート付着化粧板を使用した家具。
【考案の詳細な説明】
【技術分野】
【０００１】本考案は、ダイニングボード、およびリビングボードの家具の表面、側面等の、表面仕上げする対象面に磁性シート付着化粧板を張り付けて、家具の好むところにボンド磁性シートを付着させて、家具全体の様式、模様を自由に選択できるようになっている磁性シート付着化粧板を使用した家具に関するものである。
【背景技術】
【０００２】住宅での色彩選択において、細長い平板状の化粧板を用いた内装方法に係る技術は、表側の面の一部に粘着剤を塗布してなる粘着板を、下地の柱部材の表面に釘により打ち付けることにより各柱部材にそれぞれ取り付け、各粘着板の表側の面における粘着剤を塗布していない部分に接着剤を塗布したのち、複数枚の化粧板を各化粧板の突合せ部分が粘着板の表側の表面に位置するようにして連続的に固着するものである方法が提案されている（特許文献１参照）。【０００３】また住宅の壁の被装飾面に接着により取り付けて被装飾面を化粧する化粧材の施工技術は、互いに隣接配置される２枚の化粧材を、化粧材どうしの継ぎ目部分に、あらかじめ化粧材の裏側から継ぎ目部分を覆うように両面テープを貼り付けておき、さらに、化粧材の裏側に接着剤を塗布してから被装飾面に貼り付けるものである（特許文献２参照）。【０００４】キッチンパネルのレイアウト全体を所望のカラーパターンにデザインすることのできるキッチンパネル色コーディネートシステムを提供するために、ポインタをフロアユニットにおける一つの分割パネル区分に近づけて、ポインタと重なった分割パネル区分が分割区分枠で囲まれる。ユーザーはその場所でマウスをクリックし分割パネル区分を指定し、次にカラーサンプルから自分の好みに合った一つの色を選ぶ。色を決めると、ポインタがその色と重なった場所においてクリックすると、先ほど選択しておいた分割パネル区分の色が選んだ色へと変わるような操作を繰り返すことで、レイアウトを自分の好みに合ったデザインへと変更することが可能となる方法が提案されている（特許文献３参照）。【０００５】仮想商店街を立ち上げて、訪問者がパーソナルブランドに取り組みたくなるような商品展示をして、商品そのものの分かり易い立体的展示及びその製作手順の解説をし、さらに、デザイン、材料、加工ノウハウを提供し、顧客が創作に取り組む場合の色々な支援グループのネットワークを形成し、オリジナルな家具や皮革製品、日用品の創作の手助けができる物とサービスのサプライ・チェイン・マネジメントシステムを完成させる方法を提案されている（特許文献４参照）。【０００６】ダイニングボード、およびリビングボードの家具を色彩において自由に選択できるようになっている家具選択が可能になっているものは存在してない。
【先行技術文献】
【特許文献】
【０００７】
【特許文献１】特開平５−１４８９７４号公報
【特許文献２】特開２００５−２２０５２９号公報
【特許文献３】特開２０１１−２４８５５４号公報
【特許文献４】特開２００７−２６２８０号公報
【考案の概要】
【考案が解決しようとする課題】
【０００８】顧客が家具を購入する場合には，顧客は家具の表面、側面の模様を種々変えたいことがある。家具を部屋内に設置する環境（具体的には自分の家の居間等の部屋）に実際に家具の模様若干変更したいこともあり、簡単に家具の表面をアニメ、写真などを貼り合わせてモデルチェンジを考えることもある。設置した家具に自身の記憶に頼って想像したイメージの絵柄を貼り合わせながら家具の模様を選択するのが一般的である。しかし好みのデザインにすることによって，上記環境と調和のとれた家具を購入することを期待されている。【０００９】そのため，顧客自身の好みの絵柄、メモ書き板を貼ったシートによってダイニングボード、およびリビングボードの家具を状況によって模様替えした部屋にしても，顧客自身が満足感がえられて，結果的に上記部屋と自身の調和のとれない家具を設置せざる得ない状況となってしまう問題がある。ダイニングボード、およびリビングボードの家具の模様、様式を簡単に変更できる家具を提供することは、一般の顧客にとっては室内の調和と気分によって選択できるものである。【００１０】そこで，本考案は上記事情に鑑みてなされたものであり，その目的とするところは，ダイニングボード、およびリビングボードの家具を購入して部屋に設置する状況の好みの絵柄の入った磁気シートを貼った家具によって部屋の環境も簡単な操作で実現できる顧客対応できるダイニングボード、およびリビングボードの表面にボンド磁性シートを付着できる装飾性表装材を張った家具を提供することである。ダイニングボード、およびリビングボードの家具において注文品よりも安価に、自由度を高めたダイニングボード、およびリビングボードの家具を提供することを目的とする。
【課題を解決するための手段】
【００１１】家具の表面、側面、内面に、０．５〜２ｍｍの厚さの  残留磁束密度（Ｂｒ）＝２〜１０ｋＧ，  保磁力（Ｈｃ）＝２〜２０ｋＯｅ、最大エネルギ積（ＢＨｍａｘ）＝１〜２０ＭＧＯｅの磁力を持つ、ボンド磁性シートを付着可能になっている表装材とスチール箔を含む化粧板を貼りつけている磁性シート付着化粧板を使用した家具である。【００１２】ボンド磁性シートを付着できる装飾性表装材である化粧板において、表装材の表面には、０・０５〜１ｍｍの生地色から濃厚色、又は自然素材の木質の質感をもつ模様を施した紙体、又は突板、又は布体、又は樹脂フイルムを貼って、磁気吸着力を持つ表面体内に２５〜２００μｍの厚さのスチール箔を含んでいる化粧板を使用している。【００１３】家具として、引出、開戸、引戸を持つもので、流し台、調理台等の厨房設備、洗面化粧台等の衛生設備、あるいは食器戸棚、ワゴン、クロゼット等の家具が備える扉や引出しの前板であって、チェスト、箪笥、食器棚、洋服箪笥、テレビボード、本棚であって、表面と側面と合わせた面積で３０〜１００％にボンド磁性シートを付着できる装飾性表装材を張り付けている。【００１４】家具に貼り付けているボンド磁性シートは、縦５０〜５００ｍｍ、横５０〜５００ｍｍの形状のプラスチック製、又はゴム製のシートであって、その平面シート形状が略矩形、略三角形、円形、又は四角形以上の略多角形のうちの少なくとも何れか一つであって、ボンド磁性シートは、人物、自然、風景、アニメから選ばれた図柄、写真、及び計画表、或はメモ書表などであって、色彩、模様、形状で自由に選択を行うことによって、それらの形状と併せて、色彩・模様で自由に選択を付着させるボンド磁性シートで、しかも家具の表面を平面状態に近く、所望の形状と模様で単純な色彩を持った家具表面に付着させて使用できるようになっている。
【考案の効果】
【００１５】家具の表面、側面等の、表面仕上げする対象面に磁性シート付着化粧板を張り付けて、家具の好むところにボンド磁性シートを付着させて、家具全体の様式、模様を自由に選択できるようになり、好みの絵柄、メモ書き板を貼ったシートによってダイニングボード、およびリビングボードの家具を状況によって模様替えした部屋にしても，満足感がえられて，結果的に上記部屋と自身の調和のとれない家具を設置せざる得ない状況となった【００１６】ボンド磁性シートは、人物、自然、風景、アニメから選ばれた図柄、写真、及び計画表、或はメモ書表などであって、色彩、模様、形状で自由に選択を行うことによって、それらの形状と併せて、色彩・模様で自由に選択を付着させるボンド磁性シートで、しかも家具の表面を平面状態に近く、所望の形状と模様で単純な色彩を持った家具表面に付着させて使用できるようになっている
上述の方法でボンド磁性シートを貼ることでダイニングボード、およびリビングボードの家具の模様替えすることで、家具部材を選択する上で設置したイメージが家具になり、顧客が要望された自由な色彩、寸法のダイニングボード、およびリビングボードの家具を提供することができる。
【図面の簡単な説明】
【００１７】
【図１】磁性シート付着化粧板を使用した洋服箪笥の斜視図である。Ａ：外見面  Ｂ：内部面
【図２】磁性シート付着化粧板の図である。
【図３】磁性シート付着化粧板に吸着させる図柄付き樹脂フイルムの図である。
【図４】磁性シート付着化粧板を使用した家具を配置した室内斜視図である。
【図５】磁性シート付着化粧板を使用したチェストの概略斜視図である。
【考案を実施するための形態】
【００１８】以下、本考案の実施形態について、図面を参照して説明する。
図１は磁性シート付着化粧板を使用した洋服箪笥の斜視図である。図２は磁性シート付着化粧板の図である。図３は磁性シート付着化粧板に吸着させる図柄付き樹脂フイルムの図である。図４は磁性シート付着化粧板を使用した家具を配置した室内斜視図である。図５は磁性シート付着化粧板を使用したチェストの概略斜視図である。
【実施例１】
【００１９】家具の表面に、１ｍｍの厚さの２０００ガウスの磁束密度を持つ希土類磁石のボンド磁性シートを付着可能になっている表装材とスチール箔を含む化粧板を貼りつけた。【００２０】ボンド磁性シートを付着できる装飾性表装材である化粧板において、表装材の表面には、０・２ｍｍの自然素材の木質の質感をもつ模様を施した突板を貼って、磁気吸着力を持つ表面体内に５０μｍの厚さのスチール箔を含んでいる化粧板を使用した。【００２１】家具として、引出、開戸、引戸を持つ家具が備える戸や引出しの前板のチェストであって、表面と側面と合わせた面積で６０％にボンド磁性シートを付着できる装飾性表装材を張り付けた。【００２２】家具に貼り付けている  残留磁束密度（Ｂｒ）＝５ｋＧ，  保磁力（Ｈｃ）＝５ｋＯｅ、の磁力を持つ、ボンド磁性シートは、縦５００ｍｍ、横３００ｍｍの形状のゴム製の希土類磁気シートであって、その平面シート形状が略矩形のボンド磁性シートは、人物、風景、アニメの写真であった。【００２３】チェストは、部屋の環境にマッチできるように表面仕上げする対象面を選択できる横６００  ｍｍ、奥行き４５０ｍｍ、高さ１８００  ｍｍｍであって、このチェストに貼りつけた人物、風景、アニメの写真をプリントしたボンドシートであった。【００２４】チェストに取り付けているは、縦５０ｍｍ、横５０ｍｍの形状のゴム製の磁性ボンドシートであって、その平面形状が略矩形であり、形状、模様と色彩との３０種類のシートを貼った。貼る位置はそれらを自由に選択すると所望のチェストの表面と側面に貼って、全体として６０％の面積を呈示できるようになっている模様を選択可能なチェストであった。
【実施例２】
【００２５】家具の表面に、１ｍｍの厚さの２５００ガウスの磁束密度を持つ希土類磁石のボンド磁性シートを付着可能になっている表装材とスチール箔を含む化粧板を貼りつけた。【００２６】ボンド磁性シートを付着できる装飾性表装材である化粧板において、表装材の表面には、０・３ｍｍの生地色から濃厚色をもつ模様を施した突板を貼って、磁気吸着力を持つ表面体内に５０μｍの厚さのスチール箔を含んでいる化粧板を使用した。【００２７】家具として、引出、開戸、引戸を持つ家具が備える戸や引出しの前板のチェストであって、表面と側面と合わせた面積で６０％にボンド磁性シートを付着できる装飾性表装材を張り付けた。【００２８】家具に貼り付けている  残留磁束密度（Ｂｒ）＝２ｋＧ，  保磁力（Ｈｃ）＝２ｋＯｅｅの磁力を持つ、ボンド磁性シートは、縦３００ｍｍ、横５００ｍｍの形状のゴム製のフェライト系磁気シートであって、その平面シート形状でボンド磁性シートは、風景、アニメの写真であった。【００２９】チェストは、部屋の環境にマッチできるように表面仕上げする対象面を選択できる横６００  ｍｍ、奥行き４５０ｍｍ、高さ１８００  ｍｍｍであって、このチェストに貼りつけた風景、アニメの写真をプリントしたボンドシートであった。【００３０】チェストに取り付けているは、縦５０ｍｍ、横５０ｍｍの形状のゴム製の磁性ボンドシートであって、その平面形状が略矩形であり、形状、模様と色彩との３０種類のシートを貼った。貼る位置はそれらを自由に選択すると所望のチェストの表面と側面に貼って、全体として６０％の面積を呈示できるようになっている模様を選択可能なチェストであった。
【実施例３】
【００３１】家具の表面に、１ｍｍの厚さの２５００ガウスの磁束密度を持つ希土類磁石のボンド磁性シートを付着可能になっている表装材とスチール箔を含む化粧板を貼りつけた。【００３２】ボンド磁性シートを付着できる装飾性表装材である化粧板において、表装材の表面には、０・２ｍｍの生地色から濃厚色、又は自然素材の木質の質感をもつ模様を施した突板を貼って、磁気吸着力を持つ表面体内に５０μｍの厚さのスチール箔を含んでいる化粧板を使用した。【００３３】家具として、引出、開戸、引戸を持つ家具が備える戸や引出しの前板のチェストであって、表面と側面と合わせた面積で６０％にボンド磁性シートを付着できる装飾性表装材を張り付けた。【００３４】家具に貼り付けているボンド磁性シートは、縦５０〜５００ｍｍ、横５０〜５００ｍｍの形状のゴム製の希土類磁気シートであって、その平面シート形状が略矩形、略三角形、円形のボンド磁性シートは、人物、風景、アニメの写真であった。【００３５】チェストは、部屋の環境にマッチできるように表面仕上げする対象面を選択できる横６００  ｍｍ、奥行き４５０ｍｍ、高さ１８００  ｍｍｍであって、このチェストに貼りつけた人物、風景、アニメの写真をプリントしたボンドシートであった。【００３６】チェストに取り付けているは、縦５０ｍｍ、横５０ｍｍの形状のゴム製の磁性ボンドシートであって、その平面形状が略矩形であり、形状、模様と色彩との３０種類のシートを貼った。貼る位置はそれらを自由に選択すると所望のチェストの表面と側面に貼って、全体として６０％の面積を呈示できるようになっている模様を選択可能なチェストであった。
【符号の説明】
【００３７】１、洋服ダンス
２、ボンド磁性シート
３、表面
４．内面
５、側面
６．化粧材
７．絵柄、
８．メモ
９、化粧材
１０、スチール箔
１１、合板
１２、チェスト
１３、紙
１４、テレビボード
１５、食器棚
１６、テーブル
１７、引出
【図１】
0003203530.tif 000003
【図２】
0003203530.tif 000004
【図３】
0003203530.tif 000005
【図４】
0003203530.tif 000006
【図５】
0003203530.tif 000007